(57)【特許請求の範囲】
【請求項１】
可撓性を有するシート状のキャンバスと、該キャンバスを後方側で巻き取ったり繰り出したりする第一の巻取装置と、同キャンバスを前方側で巻き取ったり繰り出したりする第二の巻取装置と、前端部と後端部の間を伸縮可能に構成した伸縮アームとを備え、前記伸縮アームの後端部を第一の巻取装置側の不動部位に支持するとともに前記伸縮アームの前端部により第二の巻取装置を支持し、第一の巻取装置と第二の巻取装置のうちの一方から前記キャンバスを繰出しながら、その他方により前記キャンバスを巻き取るようにしたオーニング装置であって、
前記キャンバスが、第一の巻取装置側に位置する第一のシートと、第一のシートよりも第二の巻取装置側に位置し且つ第一のシートとは異なる種類の第二のシートとを接続してなり、
第一のシートと第二のシートとの間にこれら二つのシートを横幅方向へわたって接続する接続部材を設け、
前記キャンバスが第一の巻取装置又は第二の巻取装置に巻き取られた際に前記接続部材に当接して前記キャンバスが巻き取られる量を規制する規制部を設けたことを特徴とするオーニング装置。
【請求項２】
第一のシートと第二のシートの各々には、それぞれ、前記接続部材側の端部に横幅方向へわたる棒状部材が設けられ、
前記接続部材は、軸方向の一端側に前記棒状部材を挿入可能な開口端部を有する中空筒状に形成され、その周壁における径方向の両側に、第一のシート及び第二のシートを挿入可能且つ前記棒状部材を挿入不能であって前記開口端部に連続する開口部を有することを特徴とする請求項１記載のオーニング装置。
【請求項３】
第一の巻取装置の巻取体を双方向へ回転させる第一の電動駆動源と、第二の巻取装置の巻取体を双方向へ回転させる第二の電動駆動源とを具備し、これら二つの電動駆動源を同期させて同方向へ回転するようにしたことを特徴とする請求項１又は２記載のオーニング装置。
【発明の詳細な説明】
【技術分野】
【０００１】
本発明は、店頭などにおいて、日除けや雨除けなどのためにキャンバスを張設・保持・収納するオーニング装置に関するものである。
【背景技術】
【０００２】
従来、この種の発明には、例えば特許文献１に記載のもののように、可撓性を有するシート状のキャンバス（開閉体１０）と、該キャンバスの前端側が止着された開閉体支持前枠（１１）と、該キャンバスを後方側で巻き取ったり繰り出したりする巻取体（２０）と、該巻取体を駆動回転させる回転式電動機（５１）と、前記キャンバスを両側で支持するとともに前後に伸縮可能な伸縮アーム（３０）と、前記伸縮アームを前記後方側から支持する支持基体（４０）とを備えたオーニング装置がある。なお、前記括弧内の数字は、特許文献１中の符号を示す。
前記従来技術によれば、巻取体（２０）を繰出し方向へ回転させると、キャンバス（開閉体１０）が繰り出されるのに伴って、開閉体支持前枠（１１）が巻取体（２０）から離れてゆくとともに、伸縮アーム（３０）が付勢部材の付勢力によって展開するように伸長する。また、巻取体（２０）を巻取り方向へ回転させれば、キャンバス（開閉体１０）が巻取体（２０）に巻き取られるのに伴って、開閉体支持前枠（１１）が巻取体（２０）に近づくとともに、伸縮アーム（３０）が折れ曲がるようにして収縮する。
【０００３】
ところで、このような従来のオーニング装置において、キャンバスの種類（例えば、色や生地等）を変更したい場合や、部分的な汚れや損傷を生じたキャンバスを変更したい場合には、キャンバスの使用面を部分的に変更することはできず、キャンバス全体を取り外して他のものに交換する必要があり容易ではない。
【先行技術文献】
【特許文献】
【０００４】
【特許文献１】特開２０１３−１９４４８３号公報
【発明の概要】
【発明が解決しようとする課題】
【０００５】
本発明は上記従来事情に鑑みてなされたものであり、その課題とする処は、キャンバスの使用面を容易に変更することができるオーニング装置を提供することにある。
【課題を解決するための手段】
【０００６】
上記課題を解決するための一手段は、可撓性を有するシート状のキャンバスと、該キャンバスを後方側で巻き取ったり繰り出したりする第一の巻取装置と、同キャンバスを前方側で巻き取ったり繰り出したりする第二の巻取装置と、前端部と後端部の間を伸縮可能に構成した伸縮アームとを備え、前記伸縮アームの後端部を第一の巻取装置側の不動部位に支持するとともに前記伸縮アームの前端部により第二の巻取装置を支持し、第一の巻取装置と第二の巻取装置のうちの一方から前記キャンバスを繰出しながら、その他方により前記キャンバスを巻き取るようにしたオーニング装置であって、前記キャンバスが、第一の巻取装置側に位置する第一のシートと、第一のシートよりも第二の巻取装置側に位置し且つ第一のシートとは異なる種類の第二のシートとを接続してなり、第一のシートと第二のシートとの間にこれら二つのシートを横幅方向へわたって接続する接続部材を設け、前記キャンバスが第一の巻取装置又は第二の巻取装置に巻き取られた際に前記接続部材に当接して前記キャンバスが巻き取られる量を規制する規制部を設けたことを特徴とする。
【発明の効果】
【０００７】
本発明は、以上説明したように構成されているので、キャンバスの使用面を容易に変更することができる。
【図面の簡単な説明】
【０００８】
【図１】本発明に係るオーニング装置の一例を示す斜視図である。
【図２】同オーニング装置を示す側面図である。
【図３】同オーニング装置において、キャンバス、第一の巻取装置及び第二の巻取装置等の接続構造を示す側面図である。
【発明を実施するための形態】
【０００９】
本実施の形態の第一の特徴は、可撓性を有するシート状のキャンバスと、該キャンバスを後方側で巻き取ったり繰り出したりする第一の巻取装置と、同キャンバスを前方側で巻き取ったり繰り出したりする第二の巻取装置と、前端部と後端部の間を伸縮可能に構成した伸縮アームとを備え、前記伸縮アームの後端部を第一の巻取装置側で支持するとともに前記伸縮アームの前端部により第二の巻取装置を支持し、第一の巻取装置と第二の巻取装置のうちの一方から前記キャンバスを繰出しながら、その他方により前記キャンバスを巻き取るようにしたことを特徴とする。
ここで、前記「伸縮アーム」には、長手方向へ接続された二本の長尺部材を折り曲げたり展開したりして全体が伸縮する態様や、重ね合わせられた二本の長尺部材をその一方に対し他方をスライドさせて全体が伸縮する態様等を含む。
また、前記「キャンバス」には、部分的にシート材の種類（材質や色等）が異なる態様や、全体が同じシート材により形成された態様等を含む。
前記構成によれば、キャンバスを、第一の巻取装置から繰り出しながら第二の巻取装置により巻き取ったり、逆に第二の巻取装置から繰り出しながら第一の巻取装置により巻き取ったりすることができ、これらの動作により、キャンバスの露出面（使用面）を容易に変更することができる。
【００１０】
第二の特徴としては、前記キャンバスは、第一の巻取装置側に位置する第一のシートと、第一のシートよりも第二の巻取装置側に位置し且つ第一のシートとは異なる種類の第二のシートとを接続してなる。
ここで、前記「異なる種類」には、材質や色が異なる場合や、透明度が異なる場合等を含む。
前記構成によれば、第一の巻取装置と第二の巻取装置の動作により、キャンバスの露出部分を、種類の異なるシートに容易に変更することができる。
【００１１】
第三の特徴としては、第一のシートと第二のシートとの間に、これら二つのシートを接続する接続部材を設けた。
この構成によれば、種類の異なる二つのシートを接続部材によって容易に接続することができる。
【００１２】
第四の特徴としては、前記キャンバスが第一の巻取装置又は第二の巻取装置に巻き取られた際に前記接続部材に当接して、前記キャンバスが巻き取られる量を規制する規制部を設けた。
この構成によれば、第一のシートと第二のシートとのうち、一方のシートを巻取体に巻き取った際に、接続部材を規制部に当接させて、キャンバスが巻き取られる量を規制することができる。
【００１３】
第五の特徴は、第一のシートと第二のシートの各々には、それぞれ、前記接続部材側の端部に横幅方向へわたる棒状部材が設けられ、
前記接続部材は、軸方向の一端側に前記棒状部材を挿入可能な開口端部を有する中空筒状に形成され、その周壁における径方向の両側に、第一のシート及び第二のシートを挿入可能且つ前記棒状部材を挿入不能であって前記開口端部に連続する開口部を有する。
この構成によれば、第一のシートの棒状部材と、第二のシートの棒状部材とを、それぞれ、接続部材に対し開口端部から挿入することで、第一のシートと第二のシートを接続することができ、その接続作業を容易に行うことができる。
【００１４】
第六の特徴としては、第一の巻取装置の巻取体を双方向へ回転させる第一の電動駆動源と、第二の巻取装置の巻取体を双方向へ回転させる第二の電動駆動源とを具備し、これら二つの電動駆動源を同期させて同方向へ回転するようにした。
この構成によれば、キャンバスの露出面（使用面）の変更を、二つの電動駆動源の作動により容易に行うことができる。
【実施例】
【００１５】
次に、上記特徴を有する好ましい実施例を、図面に基づいて詳細に説明する。
【００１６】
オーニング装置１は、可撓性を有するシート状のキャンバス１０と、該キャンバス１０を後方側で巻き取ったり繰り出したりする第一の巻取装置２０と、同キャンバス１０を前方側で巻き取ったり繰り出したりする第二の巻取装置３０と、第一の巻取装置２０を支持する支持基体４０と、前端部と後端部の間を伸縮可能に構成した伸縮アーム５０とを備え、伸縮アーム５０の後端部を第一の巻取装置２０側の不動部位（図示例によれば、支持部材２２及び支持基体４０）に支持するとともに伸縮アーム５０の前端部により第二の巻取装置３０を支持している。
このオーニング装置１は、第一の巻取装置２０と第二の巻取装置３０を同期させて同方向へ回転することで、第一の巻取装置２０と第二の巻取装置３０のうちの一方からキャンバス１０を繰出しながら、その他方によりキャンバス１０を巻き取る。
【００１７】
キャンバス１０は、第一の巻取装置２０側に位置する第一のシート１１と、第一のシート１１よりも第二の巻取装置３０側に位置し且つ第一のシートとは異なる種類の第二のシート１２と、これらを接続する接続部材１３とを具備する。
【００１８】
第一のシート１１と第二のシート１２は、互いに異なる種類のシート材である。
これら第一のシート１１と第二のシート１２の具体例としては、色が異なる２つのシート材や、透明と不透明の２つのシート材、柄が異なる２つのシート材等とすることができる。
第一のシート１１の後端側は、第一の巻取装置２０の巻取体２１に巻かれ、同様に、第二のシート１２の前端側は、第二の巻取装置３０の巻取体３１に巻かれている。
【００１９】
第一のシート１１の前端側は、キャンバス幅方向へわたって断面袋状（図３参照）に形成され、その内部には、棒状部材１１ａが挿入されている。
同様に第二のシート１２の後端側も、キャンバス幅方向へわたって断面袋状に形成され、その内部には、棒状部材１２ａが挿入されている。
棒状部材１１ａ，１２ａの各々は、剛性材料（例えば、金属や硬質合成樹脂材料等）からなる長尺部材であり、キャンバス１０の幅方向の全長にわたり連続している。
第一のシート１１と第二のシート１２は、それぞれの棒状部材１１ａ（又は１２ａ）を接続部材１３に嵌め合せることで、一体化されている。
【００２０】
接続部材１３は、軸方向の一端側（本実施例によれば両端側）に棒状部材１１ａ，１２ａを挿入可能な開口端部を有する中空筒状に形成され、その周壁における径方向の両側に、第一のシート１１及び第二のシート１２を挿入可能且つ棒状部材１１ａ，１２ａを挿入不能であって前記開口端部に連続する開口部１３ａ，１３ａを有する。すなわち、各開口部１３ａは、接続部材１３の横幅方向の一端から他端にわたって連続する開口である。
この接続部材１３は、図２に示すように、その内部に、第一のシート１１側の棒状部材１１ａと、第二のシート１２側の棒状部材１２ａを挿入することで、これら二つのシート１１，１２を接続している。
【００２１】
キャンバス１０における第一のシート１１が第一の巻取装置２０に殆ど巻き取られた場合、接続部材１３は、第一の巻取装置２０側の支持ブラケット６１（規制部）に当接する。
支持ブラケット６１は、その先端側に雨よけカバー６２（図２参照）を支持した状態で、基端側が支持基体４０に接続されている。この支持ブラケット６１は、キャンバス幅方向に間隔を置いて複数設けられる。
雨よけカバー６２は、第一の巻取装置２０の上方側をキャンバス幅方向へわたって覆う庇状の部材であり、雨等が第一の巻取装置２０側の機構内へ侵入するのを防ぐ。
なお、図１中において、内部構造を明瞭に示すために、支持ブラケット６１及び雨よけカバー６２の図示を省略している。
【００２２】
また、キャンバス１０における第二のシート１２が第二の巻取装置３０に殆ど巻き取られた場合、接続部材１３は、第二の巻取装置３０側の先端カバー３５（規制部）に当接する。
先端カバー３５は、第二の巻取装置３０の前半部側を構成しており、円筒状に巻き取られる第二のシート１２の外周面を前側から覆って保護する（図２参照）。
【００２３】
第一の巻取装置２０は、第一のシート１１を巻き取る巻取体２１と、該巻取体２１を両端側で回転自在に支持する支持部材２２，２２と、巻取体２１を双方向へ回転させる第一の電動駆動源２３とを具備している。
【００２４】
巻取体２１は、キャンバス１０の横幅方向の全長と略同等の長さの円筒体状に形成され、その両端側に支持部材２２等を介することで、支持基体４０の前方側で回転するように支持される。
この巻取体２１の外周面には、キャンバス幅方向へ貫通する切欠部２１ａが設けられる（図３参照）。この切欠部２１ａは、第一のシート１１の基端止着部材１１ｂを内在し保持している。基端止着部材１１ｂは、キャンバス幅方向へ連続する棒状部材であり、第一のシート１１の後端部に止着され、切欠部２１ａに対し巻取体軸方向の一端側から挿入されている。
【００２５】
第一の電動駆動源２３は、基部と該基部に対し双方向へ駆動回転する出力軸とを備えた電動式チューブラモータであり、前記基部を巻取体２１内面に接続するとともに、前記出力軸を支持部材２２に接続している。したがって、この第一の電動駆動源２３の供給電源を制御すれば、巻取体２１を双方向へ回転させることができる。
【００２６】
支持部材２２は、支持基体４０のキャンバス幅方向の端部側に嵌合接続され、前方へ突出して、巻取体２１の端部側を支持している。この支持部材２２は、金属材料等の剛性材料によって形成される。
支持部材２２と巻取体２１との間には、図示しない軸受部材が設けられ、該軸受部材は、巻取体２１を回転自在に支持している。
この支持部材２２の前端側には、後述する伸縮アーム５０の基端側が接続される。
【００２７】
第二の巻取装置３０は、第二のシート１２を巻き取る巻取体３１と、該巻取体３１を両端側で回転自在に支持する支持部材３２と、巻取体３１を双方向へ回転させる第二の電動駆動源３３とを具備しており、左右の伸縮アーム５０の前端側に支持されている。
この第二の巻取装置３０は、第一の巻取装置２０と同期して同方向へ回転するように制御されている。すなわち、例えば、第二の巻取装置３０の巻取体３１が時計方向へ回転した場合に、この回転に同期して、第一の巻取装置２０の巻取体２１も時計方向へ回転する。また、第二の巻取装置３０の巻取体３１が反時計方向へ回転した場合に、この回転に同期して、第一の巻取装置２０の巻取体２１も反時計方向へ回転する。
【００２８】
巻取体３１は、キャンバス１０の横幅方向の全長と略同等の長さの円筒体状に形成され、その両端側に支持部材３２等を介することで、伸縮アーム５０の前方側で回転するように支持される。
この巻取体３１の外周面には、キャンバス幅方向へ貫通する切欠部３１ａが設けられる。この切欠部３１ａは、第二のシート１２の基端止着部材１２ｂを内在し保持している。基端止着部材１２ｂは、キャンバス幅方向へ連続する棒状部材であり、第二のシート１２の前端部に止着され、切欠部３１ａに対し巻取体軸方向の一端側から挿入されている。
【００２９】
また、支持部材３２は、伸縮アーム５０，５０の前端側に接続された支持バー３２ａと、該支持バー３２ａの両端側に固定された軸受ブラケット３２ｂ，３２ｂとから構成される。
支持バー３２ａは、キャンバス幅方向の略全長にわたる部材である。この支持バー３２ａの長手方向の途中位置には、回転軸を上下方向へ向けるようにして、伸縮アーム５０，５０の各先端部分が軸支されている。
また、左右の軸受ブラケット３２ｂ，３２ｂは、支持バー３２ａのキャンバス幅方向の両端側に一体に設けられる。各軸受ブラケット３２ｂは、軸受部材等を介して巻取体３１を回転自在に支持している。
【００３０】
また、第二の電動駆動源３３は、第一の電動駆動源２３同様に、基部と該基部に対し双方向へ駆動回転する出力軸とを備えた電動式チューブラモータであり、前記基部を巻取体３１内面に接続するとともに、前記出力軸を支持部材３２の軸受ブラケット３２ｂに接続している。したがって、この第二の電動駆動源３３の供給電源を制御すれば、巻取体３１を双方向へ回転させることができる。
【００３１】
支持基体４０は、キャンバス幅方向の全長よりも若干長い略板状の部材であり、剛性を有する金属材料等によって形成される。
この支持基体４０の正面側には、左右の支持部材２２，２２が嵌合接続される。また、同支持基体４０の背面部は、建物壁面等に止着固定される。
【００３２】
また、伸縮アーム５０は、キャンバス１０の下方側において、キャンバス幅方向の両側に位置するように、二つ設けられる。各伸縮アーム５０は、折れ曲がるようにして収縮し、展開するようにして伸長する複数（図示例によれば二つ）の関節アーム５１，５２を具備し、図示しない付勢部材によって伸長方向へ付勢されている。
【００３３】
前側及び後側の関節アーム５１，５２は、それぞれ、剛性材料により長尺杆状に形成される。
前側の関節アーム５１は、後部側をキャンバス幅方向へ回動するように、その前端部が支持バー３２ａに対し軸支されている。後側の関節アーム５２は、後部側をキャンバス幅方向へ回動するように、その前端部が前側の関節アーム５１の後端部に対し軸支されている。この軸支部分には、二つの関節アーム５１，５２間を展開する方向へ付勢するように付勢部材（例えば、コイルスプリングや板バネ等）が設けられる。
後側の関節アーム５２は、前部側をキャンバス幅方向へ回動するように、その後端部が傾斜角度調整装置７０に軸支されている。
【００３４】
傾斜角度調整装置７０は、リング状の被操作部７１に対する回転操作によって伸縮アーム５０の上下方向の角度を変化させるようにした機構であり、例えば、被操作部７１と一体的に回転するウォームギヤによってウォームホイールを回転させ、該ウォームホイールに支持される伸縮アーム５０の上下角度を変化させるようにした機構や、特開2010-24762に開示された周知の機構等とすればよい。
被操作部７１は、先端部にフック状部分を有する図示しないクランク棒が掛けられ、該クランク棒によって回転操作されるようになっている。
【００３５】
次に、上記構成のオーニング装置１について、その特徴的な作用効果を詳細に説明する。
先ず、伸縮アーム５０を収縮させた収納状態（図２参照）において、第一の電動駆動源２３又は第二の電動駆動源３３に電力供給すると、電力供給された該巻取装置２０（又は３０）からキャンバス１０が繰出される。すると、左右の伸縮アーム５０が付勢部材（図示せず）の付勢力により伸長してゆく。すなわち、キャンバス１０の繰出し動作と、伸縮アーム５０の伸長動作とが同時に進行する。
【００３６】
前記動作において、第一の巻取装置２０からキャンバス１０を繰出した場合には、第一のシート１１の露出部分が多くなる。
また、前記動作において、第二の巻取装置３０からキャンバス１０を繰出した場合には、第二のシート１２の露出部分が多くなる。
【００３７】
そして、キャンバス１０が所望量繰り出されたら、手動スイッチ操作等により、第一の電動駆動源２３又は第二の電動駆動源３３が停止される。そして、この展開停止状態にて、当該オーニング装置１は、日除けや雨除け等として使用される。
【００３８】
また、キャンバス１０の種類を変更したい場合には、前記展開停止状態において、第一の電動駆動源２３及び第二の電動駆動源３３を同期して同方向へ回転させて、先に露出された一方のシート１１（又は１２）を、他方のシート１２（又は１１）に変更することができる。
【００３９】
よって、上記オーニング装置１によれば、使用状況や好み等に応じてキャンバス１０の種類を変更したり、キャンバス１０の一方側が損傷した場合にその損傷部分を巻き取って他方の部分を露出させたり等、キャンバス１０の使用面を容易に変更することができる。
【００４０】
また、キャンバス１０が第一の巻取装置２０側又は第二の巻取装置３０側に巻取られてゆくと、シート変更が略完了した時点で、接続部材１３が第一の巻取装置２０側又は第二の巻取装置３０側の不動部位に当接する。このため、使用者等は、シート変更が完了したことを容易に認知することができる。
なお、前記当接時の負荷によって第一の巻取装置２０又は第二の巻取装置３０を自動停止する構造とすることも可能である。
【００４１】
また、展開状態のキャンバス１０を収納する場合には、何れか一方の巻取装置２０（又は３０）を拘束した状態で、他方の巻取装置３０（２０）を巻取り動作すれば、第一の巻取装置２０と第二の巻取装置３０の間が狭まり、これに伴って、左右の伸縮アーム５０が付勢部材（図示せず）の付勢力に抗して折れ曲がるように収縮し、図２に示す収納状態に戻る。
この収納状態は、両方の巻取装置２０，３０を拘束状態にしている間は維持される。巻取装置２０，３０を拘束する手段は、例えば、図示しないブレーキ装置を用いた態様や、第一の電動駆動源２３及び第二の電動駆動源３３の回転力を、それぞれ、駆動源側のウォームギヤを介して巻取装置２０，３０に伝達するようにした態様等とすればよい。すなわち、後者態様では、第一及び第二の電動駆動源２３，３３の各出力軸にウォームギヤを設けるとともに、巻取体２１，３１には、それぞれ前記ウォームギヤに噛み合うウォームホイールを設ける。この構成によれば、巻取体側の回転力が駆動源側に伝達しないので、巻取装置２０，３０を拘束することができる。
【００４２】
なお、上記実施例によれば、伸縮アーム５０を前方斜め下方へ伸長するようにしているため、その前半部側の重量や、伸縮アーム５０内の付勢部材（図示せず）の作用により、伸縮アーム５０の伸長状態が保持されるが、必要に応じて、伸縮アーム５０を伸長状態で収縮不能に係止する係止手段を設けるようにしてもよい。
【００４３】
また、上記実施例によれば、第一の巻取装置２０及び第二の巻取装置３０を電動で巻取り動作及び繰出し動作を行う構成としたが、他例としては、第一の巻取装置２０と第二の巻取装置３０のうち、その一方又は双方を手動で巻取り動作及び繰出し動作を行う構成とすることも可能である。この場合の巻取り繰出し機構は、例えば、特開2000-179628号公報に開示される機構を用いればよい。
【００４４】
また、上記実施例によれば、伸縮アーム５０は二つの関節アーム５１，５２を折り畳んだり展開したりして伸縮する構造としたが、伸縮アーム５０の他例としては、内外に重ね合わせられた複数の筒状部材を互いにスライドさせて全体が伸縮するようにした態様や、重ね合わせられた二本の長尺部材をその一方に対し他方をスライドさせて全体が伸縮するようにした態様等とすることが可能である。
【００４５】
また、上記実施例によれば、特に好ましい態様として、第一のシート１１と第二のシート１２を異なる種類のシートとしたが、他例としては、これら第一のシート１１及び第二のシート１２を同種類のシートとすることも可能である。
【００４６】
また、上記実施例によれば、接続部材１３の両側の開口部１３ａ，１３ａにそれぞれ第一のシート１１及び第二のシート１２を挿通するようにしたが、他例としては、接続部材１３の単一の開口部を設け、該開口部に第一のシート１１及び第二のシート１２の双方を挿通し接続する態様や、接続部材１３を省くとともに第一のシート１１と第二のシート１２を他の接続手段（例えば、縫い付け等）により直接的に接続した態様等とすることも可能である。
【符号の説明】
【００４７】
１０：キャンバス
１１：第一のシート
１２：第二のシート
１３：接続部材
２０：第一の巻取装置
２１：巻取体
３０：第二の巻取装置
３１：巻取体
３５：先端カバー（規制部）
４０：支持基体
５０：伸縮アーム
６１：支持ブラケット（規制部）
【図１】
0006482824.tif 000002
【図２】
0006482824.tif 000003
【図３】
0006482824.tif 000004